(57)【要約】      （修正有）【課題】部品点数も少なくて製作装着が極めて容易、かつヘルメットの内面温度上昇を防ぐ作用の高い簡易組み立て帽子を提供する。【解決手段】アルミニウムシートに炭粉体を含有する塗料組成物が塗布された遮熱シートよりなり、複数個所に切込み２が設けられた円形状な帽子部材１と、複数個所の切込み２を重ね合わせることによって頭部形状に合った形状にした後、重ね合わせた切込み部を接合する接合部材３とより構成した。【選択図】図１
0003137311.tif 000002
【実用新案登録請求の範囲】
【請求項１】
アルミニウムシートに炭粉体を含有する塗料組成物が塗布された遮熱シートよりなり、複数個所に切込みが設けられた円形状な帽子部材と、前記複数個所の切込みを重ね合わせることによって頭部形状に合った形状にした後、前記重ね合わせた切込み部を接合する接合部材とよりなることを特徴とする簡易組み立て帽子。
【考案の詳細な説明】
【技術分野】
【０００１】
本考案は、ヘルメットや作業帽等の中敷に使用して遮熱する簡易組み立て帽子に関するものである。
【背景技術】
【０００２】
一般的に、屋外で作業する場合や小中学生の通学等には危険防止のためにヘルメットを着用するケースが多い。しかし夏場ともなると、外気温度が３０℃~３５℃の時ヘルメットの外表面温度は４３℃〜５５℃位となり、さらにヘルメットの内面温度は４０℃〜５０℃位にまで上昇する。そのためヘルメットの内面温度上昇を防ぐ工夫が多数提案開示されている。その一つとして、アルミニウムシートに炭粉体を含有する塗料組成物が塗布された遮熱シートを帽体に成形してヘルメット内に接着したり、ヘッドバンド等の保持具を利用して適性位置に保持させたり、この保持具に合った穴や切り欠きを設けて系止させたりする技術が開示されている（例えば、特許文献１参照）。また、頭部挿通孔が備えられた本体部の両側に側面遮光部と後部に後方遮光部が設けられた遮光性のシート状物を帽子と頭部との間に挟み込むことによって簡易に日除けを図る技術も開示されている（例えば、特許文献２参照）。
【特許文献１】特開２００７−１１９９４９号  公報
【特許文献２】特開平１０−１５８９１７号    公報
【考案の開示】
【考案が解決しようとする課題】
【０００３】
しかしながら上記従来の特許文献１に開示の技術は、遮熱シートを帽体にプレス等で成形し、さらにヘルメット内に接着したり、ヘッドバンド等の保持具を利用して適性位置に保持させたり、この保持具に合った穴や切り欠きを設けて系止させたりするという煩雑な過程を経てヘルメット内に装着するという課題がある。また特許文献２に開示の技術は、遮光性のシート状物を頭部本体部とこの両側に側面遮光部と後部に後方遮光部が設けられた複雑な構成シートであり、シートの製作や帽体に成形する手間とコストがかさむという課題を有していた。
【０００４】
本考案は上記従来の課題を解決するもので、部品点数も少なくて製作装着が極めて容易、かつヘルメットの内面温度上昇を防ぐ作用の高い簡易組み立て帽子を提供することを目的とする。
【課題を解決するための手段】
【０００５】
上記課題を解決するために本考案の簡易組み立て帽子は、アルミニウムシートに炭粉体を含有する塗料組成物が塗布された遮熱シートよりなり、複数個所に切込みが設けられた円形状な帽子部材と、前記複数個所の切込みを重ね合わせることによって頭部形状に合った形状にした後前記重ね合わせた切込み部を接合する接合部材とよりなる構成としたものである。従って、ヘルメットの内面温度上昇を防ぐ作用が高く、部品点数も少なくて製作および装着が極めて容易に行えるという作用を有する。
【考案の効果】
【０００６】
本考案の簡易組み立て帽子は上記構成を備えたことにより、遮熱シートの帽体への製作は、複数個所の切込みを重ね合わせることによって頭部形状に合った帽体形状にし、テープ等の接合部材で重ね合わせた切込み部を接合するだけでよいため極めて容易となる。また、切込みの重ね合わせを寸法を調節することによって大小いづれの頭部形状にでも合った帽体形状に製作できる。さらには部品点数も少なくて帽体製作のコストが低減できるといったような多くの作用効果が得られる。
【考案を実施するための最良の形態】
【０００７】
以下本考案の一実施の形態について、図面を参照しながら説明する。図１は本考案の簡易組み立て帽子の平面図、図２は組み立てた後の帽体形状の斜視図、図３は帽子部材となる遮熱シートの断面図である。図１において、１は帽子部材であって遮熱シートを使用して円形や楕円等の円形状に形成されている。２はこの帽子部材１に設けられた切込みで複数個所に形成されている。３は切込み２を重ね合わせた後に接合する接着テープ等の接合部材であり、切込みの数だけ用意されている。このようにして用意された円形状な帽子部材と接合部材とのセットから図２に示すごとく帽体形状に組み立てるには、複数個所の切込み２を重ね合わせる（破線４）ようにして帽体形状に成形する。そして重ね合わせた切込み部を別途用意されている接着テープ等の接合部材３で接合し固定する。このとき切込み２の重ね合わせ（破線４）寸法を調節すれば大小いづれの頭部寸法形状にでも合った帽体形状に製作できるし、切込み２を多く設ければ頭部形状に精密に合致した帽体形状に製作できる。このようにして製作された簡易組み立て帽子を被り、その上にヘルメットを被ればヘルメットの内面温度上昇を防ぐことができ、快適にヘルメット装着ができる。また、最初からヘルメット内に組み込んでおけば簡単に装着することができる。本実施例では作業用や競技用のヘルメットについて記述しているが、これらに限らず普通の帽子に装着しても同様の作用効果が得られる。
【０００８】
図３に本考案の帽子部材１となる遮熱シートの構成を示す。アルミニウムシート又はアルミニウム箔５にポリエチレンテレフタレート（ＰＥＴ）樹脂よりなる支持シート６が接着剤７によって接着積層されて。８はポリエチレンテレフタレート（ＰＥＴ）樹脂より形成された不織布で、上記した支持シート６に接着剤７によって接着支持され積層されている。９は樹脂塗料に炭粉末が配合された炭塗料組成物層で不織布８に塗布して設けられている。したがって、これを帽体にする際はアルミニウムシート５の面を外側にして製作する。
【０００９】
上記構成よりなる遮熱シートは、厚さが０．２ｍｍ〜０．５ｍｍと極めて薄く形成されており、発泡系の断熱材料に比べて軽量かつ薄くアルミニウムシート又はアルミニウム箔５の剛性によって広範な形状に切断・成形が容易となる特性を備えている。特にアルミニウムシート又はアルミニウム箔５が輻射熱に対して反射効率が高いので高断熱作用がある。また、支持シートはポリエチレンテレフタレート（ＰＥＴ）樹脂で成形されており、不織布８が支持シートに接着支持されて補強されると共にアルミニウムシート又はアルミニウム箔５と一体化する仲立ちの役割りと電気伝導を防ぐ絶縁作用を有している。さらに、支持シート６と不織布８はポリエチレンテレフタレート（ＰＥＴ）樹脂が使用されているため、廃棄の際に溶解してアルミニウムと分別でき再利用に供することができる。
【産業上の利用可能性】
【００１０】
本考案の簡易組み立て帽子は、遮熱を目的としてヘルメットや作業帽等の中敷に使用して有用である。
【図面の簡単な説明】
【００１１】
【図１】本考案の簡易組み立て帽子の平面図
【図２】本考案の帽体形状の斜視図
【図３】本考案の遮熱シートの断面図
【符号の説明】
【００１２】
１    帽子部材
２    切込み
３    接合部材
５    アルミニウムシート    
６    支持シート    
７    接着剤
８    不織布
９    炭塗料組成物層
【図１】
0003137311.tif 000003
【図２】
0003137311.tif 000004
【図３】
0003137311.tif 000005